(57)【特許請求の範囲】
【請求項１】
不揮発性メモリと、
温度検出信号を出力する温度検出手段と、
基準発振信号を生成する発振手段と、
外部から与えられる信号または操作に応じて、前記温度検出信号および前記基準発振信号の基準周波数の組を複数組取得し、この複数組の前記温度検出信号および前記基準発振信号の基準周波数に基づいて、前記基準発振信号によって駆動される回路の温度補正に用いる温度補正データを算出し、前記不揮発性メモリに書き込む補正データ算出手段と
を備えたことを特徴とする電子機器。
【請求項２】
請求項１記載の電子機器において、
前記補正データ算出手段は、外部から所定の信号または操作が与えられる度に、前記温度検出信号および前記基準発振信号の組を取得する動作を行うことを特徴とする電子機器。
【請求項３】
請求項１記載の電子機器において、前記補正データ算出手段は、外部から所定の信号または操作が与えられた後、前記温度検出信号および前記基準発振信号の基準周波数の組を取得する動作を一定時間間隔で繰り返すことを特徴とする電子機器。
【請求項４】
請求項１〜３のいずれか１の請求項に記載の電子機器において、前記温度検出信号は、温度に周波数が依存する信号であり、
前記電子機器は、前記温度検出信号の周波数を計測する計測手段をさらに具備し、
前記補正データ算出手段は、前記温度検出信号の周波数および前記基準発振信号の周波数に基づいて前記温度補正データを算出することを特徴とする電子機器。
【請求項５】
請求項４記載の電子機器において、
前記電子機器は、外部から基準時間信号を受信する受信手段をさらに具備し、
前記計測手段は、前記受信手段により受信される基準時間信号に基づいて前記温度検出信号の周波数および前記基準発振信号の周波数の計測を行うことを特徴とする電子機器。
【請求項６】
請求項５に記載の電子機器において、被駆動ユニットを駆動する駆動用モータコイルを備え、前記受信手段は、前記駆動用モータコイルを介して外部から前記基準時間信号を受信することを特徴とする電子機器。
【請求項７】
請求項６記載の電子機器において、前記基準時間信号を受信する際に前記被駆動ユニットの駆動を禁止する手段を備えたことを特徴とする電子機器。
【請求項８】
請求項５記載の電子機器において、発電用コイルを有する発電手段を備え、前記受信手段は、前記発電用コイルを介して前記基準時間信号を受信することを特徴とする電子機器。
【請求項９】
請求項５記載の電子機器において、電力を蓄電する蓄電手段と、外部のコイルと電磁結合することにより前記蓄電手段に対して充電を行う充電用コイルとを備え、前記受信手段は、前記充電用コイルを介して前記基準時間信号を受信することを特徴とする電子機器。
【請求項１０】
請求項５記載の電子機器において、外部とのデータ信号の送受信を行うための通信用コイルを備え、前記受信手段は、前記通信用コイルを介して前記基準時間信号を受信することを特徴とする電子機器。
【請求項１１】
請求項５記載の電子機器において、外部とのデータ信号の送受信を行うための通信用アンテナを備え、前記受信手段は、前記通信用アンテナを介して前記基準時間信号を受信することを特徴とする電子機器。
【請求項１２】
請求項１〜１１のいずれか１の請求項に記載の電子機器において、少なくとも前記補正データ算出手段を制御するプログラムを記憶する書き換え可能なプログラム記憶手段をさらに有することを特徴とする電子機器。
【請求項１３】
請求項１〜１２のいずれか１の請求項に記載の電子機器において、時刻表示を行う計時手段を備え、前記温度補正データは、前記計時手段の歩度を補正するための歩度補正データであることを特徴とする電子機器。
【請求項１４】
不揮発性メモリと、
温度検出信号を出力する温度検出装置と、
基準発振信号を生成する発振装置と、
外部からスタート信号またはスタート操作が与えられるのに応じて、前記温度検出信号および前記基準発振信号の基準周波数の組を取得し、前記温度検出信号および前記基準発振信号の基準周波数が所定数組得られたときに、この所定数組の前記温度検出信号および前記基準発振信号の基準周波数に基づき、前記基準発振信号によって駆動される回路の温度補正に用いる温度補正データを算出し、前記不揮発性メモリに書き込む補正データ算出手段とを備えた電子機器の調整方法において、
前記電子機器の周囲温度を変化させ、複数種類の周囲温度の各々において、前記スタート信号またはスタート操作を前記電子機器に与え、前記温度補正データの算出および前記不揮発性メモリへの書き込みを前記補正データ算出手段に行わせることを特徴とする電子機器の調整方法。
【請求項１５】
不揮発性メモリと、
温度検出信号を出力する温度検出装置と、
基準発振信号を生成する発振装置と、
外部からスタート信号またはスタート操作が与えられた後、前記温度検出信号および前記基準発振信号の基準周波数の組を取得する動作を一定時間間隔で繰り返し、前記温度検出信号および前記基準発振信号の基準周波数が所定数組得られたときに、この所定数組の前記温度検出信号および前記基準発振信号の基準周波数に基づき、前記基準発振信号によって駆動される回路の温度補正に用いる温度補正データを算出し、前記不揮発性メモリに書き込む補正データ算出手段とを備えた電子機器の調整方法において、
前記スタート信号またはスタート操作を前記電子機器に与えた後、前記電子機器の周囲温度を変化させることにより、複数種類の周囲温度の各々において、前記温度検出信号および前記基準発振信号の基準周波数の組を前記補正データ算出手段に取得させ、前記温度補正データの算出および前記不揮発性メモリへの書き込みを前記補正データ算出手段に行わせることを特徴とする電子機器の調整方法。
【発明の詳細な説明】
【０００１】
【発明の属する技術分野】
本発明は、電子機器および電子機器の調整方法に係り、特にアナログ時計、ディジタル時計などの計時装置あるいはプログラム記憶装置を内蔵した電子機器および電子機器の調整方法に関する。
【０００２】
【従来の技術】
電子機器である従来のアナログ電子時計においては、温度補正データを算出するために必要となるデータを、回路ブロックまたはムーブメントの状態で測定していた。具体的には、アナログ電子時計に内蔵されている発振器および温度センサの各発振周波数を３点以上の異なる温度ごとに測定し、その測定結果に基づいて、温度補正データの算出を行っていた。
ここで、温度補正データとは、温度に対応する歩度調整データを算出する際に必要となるデータをいう。
そして、算出された温度補正データは、アナログ電子時計に内蔵されている不揮発性メモリに書き込まれていた。
【０００３】
【発明が解決しようとする課題】
ところが、上述した従来例においては、回路ブロックをムーブメントに組み込んだり、ムーブメントを外装に組み込んだりする際に、浮遊容量や応力の変化により発振器および温度センサの発振周波数がシフトしてしまい、温度補正データによる歩度調整が不正確になってしまう。その結果、アナログ電子時計の精度や歩留まりが悪くなってしまうという問題点があった。
また、温度補正データの算出などを行う調整装置と、回路ブロックまたはムーブメントとの間でデータのやり取りを行う場合には、調整装置とブロックまたはムーブメントとの接触箇所が非常に小さく限られているため、高精度なプローブが必要となる。その結果、調整装置の構成が複雑になるとともにコストも高くなってしまうという問題があった。
また、温度補正データの算出は、プローブを介して調整装置側で行うため、調整装置が１台の場合には、一度に一つのアナログ電子時計しか温度補正データの算出が行えなかった。その結果、同時に複数のアナログ電子時計の温度補正データの算出を行うことができず、作業効率が悪いという問題があった。
また、温度補正データを算出する際の工程を制御するプログラムを内蔵する電子機器の場合には、通常、出荷前に１度使用するだけの当該制御用のプログラムを出荷後もそのまま持ち続けていた。その結果、プログラムを記憶しているメモリを無駄に使用しているという問題があった。
【０００４】
そこで、本発明の目的は、ムーブメントや外装に組み込んだ状態で温度補正データの算出を行うことができ、一度に複数の製品の温度補正データを同時に算出することが可能な電子機器および電子機器の調整方法を提供することにある。
【０００５】
【課題を解決するための手段】
上記課題を解決するため、この発明は、不揮発性メモリと、温度検出信号を出力する温度検出手段と、基準発振信号を生成する発振手段と、外部から与えられる信号または操作に応じて、前記温度検出信号および前記基準発振信号の基準周波数の組を複数組取得し、この複数組の前記温度検出信号および前記基準発振信号の基準周波数に基づいて、前記基準発振信号によって駆動される回路の温度補正に用いる温度補正データを算出し、前記不揮発性メモリに書き込む補正データ算出手段とを備えたことを特徴とする電子機器を提供する。
また、この発明は、不揮発性メモリと、温度検出信号を出力する温度検出装置と、基準発振信号を生成する発振装置と、外部からスタート信号またはスタート操作が与えられるのに応じて、前記温度検出信号および前記基準発振信号の基準周波数の組を取得し、前記温度検出信号および前記基準発振信号の基準周波数が所定数組得られたときに、この所定数組の前記温度検出信号および前記基準発振信号の基準周波数に基づき、前記基準発振信号によって駆動される回路の温度補正に用いる温度補正データを算出し、前記不揮発性メモリに書き込む補正データ算出手段とを備えた電子機器の調整方法において、前記電子機器の周囲温度を変化させ、複数種類の周囲温度の各々において、前記スタート信号またはスタート操作を前記電子機器に与え、前記温度補正データの算出および前記不揮発性メモリへの書き込みを前記補正データ算出手段に行わせることを特徴とする電子機器の調整方法を提供する。
また、この発明は、不揮発性メモリと、温度検出信号を出力する温度検出装置と、基準発振信号を生成する発振装置と、外部からスタート信号またはスタート操作が与えられた後、前記温度検出信号および前記基準発振信号の基準周波数の組を取得する動作を一定時間間隔で繰り返し、前記温度検出信号および前記基準発振信号の基準周波数が所定数組得られたときに、この所定数組の前記温度検出信号および前記基準発振信号の基準周波数に基づき、前記基準発振信号によって駆動される回路の温度補正に用いる温度補正データを算出し、前記不揮発性メモリに書き込む補正データ算出手段とを備えた電子機器の調整方法において、前記スタート信号またはスタート操作を前記電子機器に与えた後、前記電子機器の周囲温度を変化させることにより、複数種類の周囲温度の各々において、前記温度検出信号および前記基準発振信号の基準周波数の組を前記補正データ算出手段に取得させ、前記温度補正データの算出および前記不揮発性メモリへの書き込みを前記補正データ算出手段に行わせることを特徴とする電子機器の調整方法を提供する。
【０００６】
請求項１４に記載の発明は、温度検出信号を出力する温度検出装置と、基準発振信号を生成する発振装置とを備えた電子機器の調整方法において、複数の温度下における前記温度検出信号および予め定められた基準発振信号の基準周波数に基づいて前記基準発振信号に対応する温度補正データを算出する補正データ算出工程と、を備えたことを特徴とする。
請求項１５に記載の発明は、請求項１４記載の電子機器の調整方法において、前記温度検出信号は、温度に対応する周波数を有し、前記温度検出信号の周波数を計測する計測工程と、複数の温度下における前記温度検出信号の周波数および前記予め定められた基準発振信号の周波数に基づいて前記基準発振信号に対応する温度補正データを算出する補正データ算出工程と、を備えたことを特徴とする。
請求項１６に記載の発明は、温度に対応する温度検出信号を出力する温度検出装置と、基準発振信号を生成する発振装置とを備えた電子機器の調整方法において、外部より入力された基準時間信号に基づいて温度に対応する前記温度検出信号の周波数および前記基準発振信号の周波数を計測する計測工程と、複数の温度下における前記温度検出信号の周波数および前記基準発振信号の周波数に基づいて前記基準発振信号に対応する温度補正データを算出する補正データ算出工程と、を備えたことを特徴とする。
請求項１７に記載の発明は、請求項１４ないし請求項１６のいずれかに記載の電子機器の調整方法において、前記基準時間信号を受信する受信工程を備えたことを特徴とする。
請求項１８に記載の発明は、請求項１４ないし請求項１７のいずれかに記載の電子機器の調整方法において、前記電子機器は、時刻表示を行う計時工程を備え、前記温度補正データは、前記計時工程の歩度を補正するための歩度補正データであることを特徴とする。
【０００７】
【発明の実施の形態】
次に本発明の好適な実施形態について図面を参照して説明する。
［１］第１実施形態
まず第１実施形態について説明する。なお、本第１実施形態にあっては、電子機器としてのアナログ電子時計を例として説明するが、本発明をこれに限定する趣旨ではなく、被駆動ユニットを駆動するための駆動用モータコイル（アナログ電子時計における運針用駆動モータコイルに相当）を有する電子機器であれば、本発明の適用が可能である。
【０００８】
［１．１］  第１実施形態の概要構成
図１に第１実施形態におけるアナログ電子時計の概要構成ブロック図を示す。
アナログ電子時計１０は、基準発振信号を生成する発振ユニット１１と、温度によって駆動電流が変化するリングオシレータ等で構成され、温度によって出力信号の周波数がほぼリニアに変化する感温発振ユニット１６と、発振ユニット１１により生成された基準発振信号および感温発振ユニット１６の出力発振信号に基づいて各発振周波数を計測する計測ユニット２４と、カウンタや加算器等で構成され計測ユニット２４により計測された発振周波数に基づいて温度補正データを演算する演算ユニット２５と、指針駆動用のモータコイル１４とを備えて構成されている。
【０００９】
さらにアナログ電子時計１０は、基準発振信号を分周して分周発振信号を出力する分周ユニット１２と、分周発振信号に基づいて駆動パルス信号を生成する駆動パルス発生ユニット１３と、駆動パルス信号に基づいて指針駆動用のモータコイル１４を駆動するモータドライバ１５と、外部のコイルとモータコイル１４とが電磁結合することにより入力される各種データを受信するための受信ユニット２０と、受信したデータに基づいて各種制御を行う制御ユニット２１と、温度補正データを記憶するためのＥＥＰＲＯＭなどの記憶ユニット２２と、感温発振ユニット１６の出力発振信号および記憶ユニット２２に記憶した温度補正データに基づいて分周ユニット１２の温度補正を行う温度補正ユニット１７と、ユーザによりリュウズスイッチ（リセットスイッチ）２６が操作されたことを検出して、分周ユニット１２のリセット処理を行うリセットユニット２７とを備えて構成されている。
ここで、計測ユニット２４は、温度補正データ算出処理時には、外部のコイルとモータコイル１４とが電磁結合することにより入力される外部からの基準信号に基づいて、発振ユニット１１および感温発振ユニット１６の各発振周波数を計測するとともに、通常動作時には、発振ユニット１１の出力信号を基準として感温発振ユニット１６の発振周波数を計測する。
【００１０】
［１．２］  第１実施形態の動作
次に、図２ないし図４を参照して第１実施形態の動作について説明する。
図２に動作処理フローチャートを示し、図３および図４に動作タイミングチャートを示す。
まず、アナログ電子時計１０の制御ユニット２１は、温度補正データを算出するために必要となるデータの測定を、予め定められた回数分繰り返すために設定された変数ｎに“１”をセットする（ステップＳ１）。
次に、制御ユニット２１では、外部のコイルとモータコイル１４とが電磁結合することにより入力される外部からの受信信号を受信ユニット２０を介して受信し、当該受信信号がスタート信号を示す信号であるか否かの判断を行う（ステップＳ２）。
ステップＳ２の判断において、受信信号がスタート信号を示す信号ではない場合には（ステップＳ２；Ｎｏ）、再度、判断を繰り返す。実際の調整においては、アナログ電子時計１０を恒温槽等に入れて、所定の温度により恒温状態となった時点で、外部からのスタート信号を入力する。
【００１１】
一方、ステップＳ２の判断において、受信信号がスタート信号を示す信号である場合には（ステップＳ２；Ｙｅｓ）、制御ユニット２１は、運針を行うために出力される駆動パルスの生成を禁止する（ステップＳ９）。
次に、計測手段２４は、発振ユニット１１により生成される基準発振信号と外部からの受信信号である基準信号とに基づいて発振ユニット１１からの発振周波数を計測する（ステップＳ３）。
具体的に説明すると、図３の時刻ｔ１に示すように、受信信号が、スタート信号を示す信号である場合には（図３（ｂ）参照）、時刻ｔ２において、制御ユニット２１は、発振ユニット周波数計測信号を、“Ｈ”レベルとする（図３（ｃ）参照）。そして、発振ユニット周波数計測信号が“Ｈ”レベルである間（図３の時刻ｔ２から時刻ｔ３の間）、計測手段２４は、発振ユニット１１により生成される基準発振信号と外部からの受信信号である基準信号（図３（ｂ）参照）とに基づいて発振ユニット１１からの発振周波数を計測する。
【００１２】
次に、計測手段２４は、感温発振ユニット１６により生成される出力発振信号と外部からの受信信号である基準信号とに基づいて感温発振ユニット１６からの発振周波数を計測する（ステップＳ４）。
具体的には、図３に示す時刻ｔ３になると、制御ユニット２１は、発振ユニット周波数計測信号を、“Ｌ”レベルとし（図３（ｃ）参照）、計測手段２４は、発振ユニット１１からの発振周波数の計測を終了する。それと同時に、制御ユニット２１は、感温発振ユニット周波数計測信号を、“Ｈ”レベルとする（図３（ｄ）参照）。そして、感温発振ユニット周波数計測信号が“Ｈ”レベルである間（図３の時刻ｔ３から時刻ｔ４の間、但し、後述するｎ＝“３”の場合には、時刻ｔ３から図４の時刻ｔ５の間）、計測手段２４は、感温発振ユニット１６により生成される出力発振信号と外部からの受信信号である基準信号（図３（ｂ）参照）とに基づいて感温発振ユニット１６からの発振周波数を計測する。
【００１３】
そして、制御ユニット２１は、駆動パルスの生成の禁止を解除する（ステップＳ１０）。
次に、制御ユニット２１では、変数ｎが予め定められた回数を示す数値であるか否かを判断する（ステップＳ５）。図２においては、予め定められた回数を示す数値として“３”が設定されている。
ステップＳ５の判断において、変数ｎ≠“３”の場合には（ステップＳ５；Ｎｏ）、変数ｎに“１”を加算して（スッテプＳ８）、処理をステップＳ２に移行する。実際の調整においては、アナログ電子時計１０が前回とは異なる所定の温度により恒温状態となった時点で、外部からのスタート信号を入力する。
一方、ステップＳ５の判断において、変数ｎ＝“３”の場合には（ステップＳ５；Ｙｅｓ）、演算ユニット２５は、ステップＳ３において計測された発振ユニット１１からの発振周波数と、ステップＳ４において計測された感温発振ユニット１６からの発振周波数とに基づいて、温度補正データを算出する（ステップＳ６）。
具体的には、図４に示す時刻ｔ５になると、制御ユニット２１は、感温発振ユニット周波数計測信号を“Ｌ”レベルとし（図４（ｄ）参照）、計測手段２４は、感温発振ユニット１６からの発振周波数の計測を終了する。それと同時に、制御ユニット２１は、補正データ計算信号を“Ｈ”レベルとし（図４（ｅ）参照）、演算ユニット２５は、ステップＳ３において計測された発振ユニット１１からの発振周波数とステップＳ４において計測された感温発振ユニット１６からの発振周波数とに基づいて、温度補正データを算出する（ステップＳ６）。なお、温度補正データの算出については後述する。
【００１４】
次に、演算ユニット２５により算出された温度補正データは、制御ユニット２１の制御により、記憶ユニット２２に書き込まれる（ステップＳ７）。
具体的には、図４に示す時刻ｔ６において、制御ユニット２１は、補正データ書き込み信号を“Ｈ”レベルとし（図４（ｆ）参照）、演算ユニット２５により算出された温度補正データを、記憶ユニット２２に書き込む。
【００１５】
ここで、温度補正データの算出について簡単に説明する。
図５（ａ）は発振ユニットの温度特性、図５（ｂ）は温度センサである感温発振ユニットの温度特性、図５（ｃ）は温度補正データ算出処理の概要フローチャートである。
まず、図５（ａ）の歩度は、以下の式により求められる。
歩度＝ｋ＊（ｆｈ−ｆｒ）／ｆｒ
ここで、ｆｈは発振ユニット１１の発振周波数、ｆｒはｆｈの理想基準周波数、ｋは周波数を歩度に変換する際の定数でありｋ＝86,400[sec]（＝24＊60＊60[sec]）を表す。このようにアナログ電子時計１０の歩度は、発振ユニット１１が出力した発振周波数と、発振ユニット１１から出力される発振周波数の理想値となる基準周波数とから求めることができる。
そして、温度補正データの算出を行う場合には、まず、アナログ電子時計１０を温度Ｔ１に所定時間（例えば、３時間）保持し、恒温状態となった時点で、感温発振ユニット１６の発振周波数ｆ1およびアナログ電子時計１０の歩度ｙ1を測定する（ステップＳ１１）。
次にアナログ電子時計１０を温度Ｔ２に所定時間（例えば、３時間）保持し、恒温状態となった時点で、感温発振ユニット１６の発振周波数ｆ2およびアナログ電子時計１０の歩度ｙ2を測定する（ステップＳ１２）。
続いてアナログ電子時計１０を温度Ｔ３に所定時間（例えば、３時間）保持し、恒温状態となった時点で、感温発振ユニット１６の発振周波数ｆ3およびアナログ電子時計１０の歩度ｙ3を測定する（ステップＳ１３）。
その後、以下の（１）〜（３）式の全てを満たす当該アナログ電子時計１０における固有の値（係数β’、基準周波数ｆｔ、基準歩度ｙ0）を算出し、係数β’、基準周波数ｆｔ、基準歩度ｙ0を温度補正データとしてアナログ電子時計１０の記憶ユニット２２に記憶させる（ステップＳ１４）。
ｙ1＝−β’（ｆ1−ｆｔ）2＋ｙ0                          ……（１）
ｙ2＝−β’（ｆ2−ｆｔ）2＋ｙ0                          ……（２）
ｙ3＝−β’（ｆ3−ｆｔ）2＋ｙ0                          ……（３）
【００１６】
以上のように算出された温度補正データに基づいて、実際に温度補正による歩度調整を行う過程を以下に説明する。
まず、計測ユニット２４により、感温発振ユニット１６の発振周波数ｆｋが求められる。次に、温度補正ユニット１７は、以下の式に、感温発振ユニット１６の発振周波数ｆｋおよび記憶ユニット２２に記憶されている温度補正データ（係数β’、基準周波数ｆｔ、基準歩度ｙ0）を代入して、発振ユニット１１の歩度ｙを求める。
ｙ＝−β’（ｆｋ−ｆｔ）2＋ｙ0
そして、温度補正ユニット１７は、求められたアナログ電子時計１０の歩度ｙに基づいて分周ユニット１２を制御することにより、発振手段１１から出力される基準発振信号を調整する。
【００１７】
［１．３］  第１実施形態の効果
以上の説明のように、本第１実施形態によれば、アナログ電子時計１０のモータコイル１４を介して調整装置からのデータを受信することにより、ムーブメント状態あるいはムーブメントを外装に組み込んだ状態で温度補正データの算出に必要となるデータの測定を行うことができるようになるため、温度補正データによる歩度調整の精度を向上させることが可能となる。
また、アナログ電子時計１０のモータコイル１４を介して調整装置からのデータを受信することにより、調整装置と回路ブロックまたはムーブメントとを接触せずにデータのやり取りを行うことが可能となる。その結果、調整装置は、高精度なプローブを備える必要がなくなり構成を簡易にできるとともにコストも低く抑えることが可能となる。
また、アナログ電子時計１０に演算ユニット２５を備えることにより、調整装置から、スタート信号および基準信号を受信するだけで温度補正データの算出を行うことができるため、１台の調整装置で同時に複数のアナログ電子時計１０の温度補正データを算出することが可能となる。
【００１８】
［１．４］  第１実施形態の変形例
上記実施形態においては、温度補正データを算出する際に、感温発振ユニット１６の発振周波数ｆ1〜ｆ3およびアナログ電子時計１０の歩度ｙ1〜ｙ3に基づいて係数β’、基準周波数ｆｔ、基準歩度ｙ0を算出しているが、感温発振ユニット１６に代えて感温センサユニットの出力する温度ｔ11〜ｔ13およびアナログ電子時計１０の歩度ｙ1〜ｙ3に基づいて係数β’’、基準温度ｔｔ、基準歩度ｙ0を算出してもよい。具体的には、以下の（４）〜（６）式の全てを満たす当該アナログ電子時計１０における固有の値（係数β’’、基準温度ｔｔ、基準歩度ｙ0）を算出し、係数β’’、基準温度ｔｔ、基準歩度ｙ0を温度補正データとしてアナログ電子時計１０の記憶ユニット２２に記憶させてもよい。
ｙ1＝−β’’（ｔ11−ｔｔ）2＋ｙ0                          ……（４）
ｙ2＝−β’’（ｔ12−ｔｔ）2＋ｙ0                          ……（５）
ｙ3＝−β’’（ｔ13−ｔｔ）2＋ｙ0                          ……（６）
【００１９】
［２］  第２実施形態
次に本発明の第２実施形態について、図６を参照して説明する。
なお、本第２実施形態にあっては、電子機器としての腕時計型コンピュータを例として説明するが、本発明をこれに限定する趣旨ではなく、プログラムを記憶するための記憶ユニットと、ＣＰＵなどの演算ユニットと、コイルまたはアンテナなどを有する電子機器であれば、本発明の適用が可能である。
【００２０】
［２．１］  第２実施形態の概要構成
図６に第２実施形態における腕時計型コンピュータの概要構成ブロック図を示す。図６において、図１の第１実施形態と同様の部分には同一の符号を付し詳細な説明を省略する。
まず、本第２実施形態の構成が図１の第１実施形態の構成と異なる点は、温度補正データの算出に必要となるデータの測定およびその測定結果に基づいて温度補正データの算出を行うように制御するためのプログラムを記憶するプログラム記憶ユニット３２を備えた点と、外部装置とのデータ信号の送受信を行うために必要となる送信ユニット３０、通信ユニット３１および通信用コイル３６を備えた点である。
また、本第２実施形態では、計時ユニット３３と制御ユニット２１と演算ユニット２５とをＣＰＵにより、まとめて構成することも可能である。
【００２１】
また、本第２実施形態の腕時計型コンピュータ３０は、ディジタル時計の時刻を計時する計時ユニット３３と、計時された時刻にしたがって時刻表示を制御する表示駆動ユニット３４と、時刻表示が表示される液晶表示ユニット３５と、ディジタル時計の操作に必要な入力ボタンである入力スイッチ２８と、入力スイッチ２８が操作されたことを検出して制御ユニット２１の入力制御処理を行う入力制御ユニット２９とを備えて構成されている。
ここで、プログラム記憶ユニット３２は、書き換えが可能であるため、出荷前に１度使用するだけの制御用のプログラムを出荷後も持ち続けることを回避することができる。具体的には、温度補正データを算出して記憶ユニット２２に記憶した後は、プログラム記憶ユニット３２のプログラムを消去する。
【００２２】
［２．２］  第２実施形態の動作
本第２実施形態の動作が図２の第１実施形態の動作と異なる点は、以下の点である。
まず、１点目として、本第２実施形態においては、温度補正データの算出工程を制御するプログラムを書き換え可能なプログラム記憶ユニット３２に記憶しているため、温度補正データの算出終了後は、当該制御用のプログラムをプログラム記憶ユニット３２から削除することができる点である。
【００２３】
そして、２点目として、第１実施形態では、外部（例えば、調整装置）からのスタート信号に基づいて発振周波数の計測を開始するのに対し、本第２実施形態においては、制御ユニット２１が、入力スイッチ２８を操作することにより出力されるスタート信号を受けた後は、プログラム記憶ユニット３２に記憶された制御用のプログラムにしたがって温度補正データの算出などを行う点である。
【００２４】
また、３点目として、第１実施形態では、あらかじめ設定された複数の基準温度ごとに行うべき発振周波数の測定を、各測定の開始前に一定の間隔を置いてから出力される外部からのスタート信号に基づいてそれぞれ開始するのに対し、本第２実施形態においては、あらかじめ設定された複数の基準温度ごとに行うべき発振周波数の測定を、プログラム記憶ユニット３２に記憶された制御用のプログラムにしたがって各測定の開始前に一定の間隔を置いてからそれぞれ開始している点である。
このように一定の間隔を置くのは、予め設定された複数の温度ごとに各発振周波数を計測するために、腕時計型コンピュータ３０が各設定温度において恒温状態となるまでのの時間を確保する必要があるからである。
次に第２実施形態の動作について、図７を参照して説明する。
図７に第２実施形態における腕時計型コンピュータの動作処理フローチャートを示す。
【００２５】
まず、制御ユニット２１は、プログラム記憶ユニット３２に記憶されている温度補正データの算出に必要となるデータの測定およびその測定結果に基づいて温度補正データの算出を行うように制御するためのプログラムをロードする（ステップＳ２１）
次に、制御ユニット２１は、入力制御ユニット２９を介して、発振周波数の計測を開始する合図となるスタート信号を出力する操作となる入力スイッチ２８操作が行われたか否かを判断する（ステップＳ２２）。
ステップＳ２２の判断において、入力スイッチの操作が行われていない場合には（ステップＳ２２；Ｎｏ）、再度、判断を繰り返す。
【００２６】
一方、ステップＳ２２の判断において、入力スイッチの操作が行われた場合には（ステップＳ２２；Ｙｅｓ）、腕時計型コンピュータ３０の制御ユニット２１は、温度補正データを算出するために必要となるデータの測定を、予め定められた回数分繰り返すために設定された変数ｎに“１”をセットする（ステップＳ２３）。
次に、制御ユニット２１は、計時ユニット３３からの信号に基づいて発信周波数を計測する前に一定の時間待機してから発振周波数の計測を開始する（ステップＳ２４）。図７においては、一定の時間として“３時間”が設定されている。
次に、計測手段２４は、発振ユニット１１により生成される基準発振信号と外部からの受信信号である基準信号とに基づいて発振ユニット１１からの発振周波数を計測する（ステップＳ２５）。
【００２７】
次に、計測手段２４は、感温発振ユニット１６により生成される出力発振信号と外部からの受信信号である基準信号とに基づいて感温発振ユニット１６からの発振周波数を計測する（ステップＳ２６）。
次に、制御ユニット２１では、変数ｎが予め定められた回数を示す数値であるか否かを判断する（ステップＳ２７）。図７においては、予め定められた回数を示す数値として“３”が設定されている。
ステップＳ２７の判断において、変数ｎ≠“３”の場合には（ステップＳ２７；Ｎｏ）、変数ｎに“１”を加算して（スッテプＳ３０）、処理をステップＳ２４に移行する。
一方、ステップＳ２７の判断において、変数ｎ＝“３”の場合には（ステップＳ２７；Ｙｅｓ）、演算ユニット２５は、ステップＳ２５において計測された発振ユニット１１からの発振周波数と、ステップＳ２６において計測された感温発振ユニット１６からの発振周波数とに基づいて、温度補正データを算出する（ステップＳ２８）。
次に、演算ユニット２５により算出された温度補正データは、制御ユニット２１の制御により、記憶ユニット２２に書き込まれる（ステップＳ２９）。
【００２８】
［２．３］  第２実施形態の効果
以上の説明のように、本第２実施形態によれば、第１実施形態と同様の効果が得られるとともに、書き換え可能なプログラム記憶ユニット３２を使用することにより、出荷前に１度使用するだけの制御用のプログラムを使用後に消去することが可能となる。その結果、出荷後も当該制御プログラムを持ち続けることを回避することができ、さらに、他の有用なプログラムを書き込むことによりプログラムを記憶しているメモリを有効に使用することが可能となる。
【００２９】
［３］  実施形態の変形例
［３．１］第１変形例
上記実施形態においては、電子機器としてアナログ電子時計を例にとって説明したが、これに限らず、例えば、電動歯ブラシや、電動ひげ剃り、コードレス電話、携帯電話、パーソナルハンディフォン、モバイルパソコン、ＰＤＡ（Personal Digital Assistants：個人向情報端末）などの各種電子機器の調整にも適用可能である。
【００３０】
［３．２］第２変形例
上記実施形態においては、外部からの基準信号を受信する手段として、モータコイルおよび通信用コイルを利用しているが、これに限らず、例えば、発電用のコイルを有する発電機および外部充電用コイルを有する蓄電池を備える電子機器の場合には、発電用のコイルおよび外部充電用のコイルを外部からの基準信号を受信する手段として利用してもよい。
【００３１】
【発明の効果】
本発明の電子機器によれば、調整装置と接触せずに電子機器のコイル等を介してデータのやり取りが行えるため、ムーブメント状態あるいは外装に組み込んだ状態で温度補正データの算出を行うことができ、温度補正データによる歩度調整の精度を向上させることが可能となる。
また、調整装置と接触せずに電子機器のコイル等を介してデータのやり取りが行えるため、調整装置に高精度なプローブを備える必要がなくなり構成が簡易になるとともにコストも低く抑えることが可能となる。
また、電子機器に演算ユニットを備えることにより、調整装置からの基準信号等に基づいて演算ユニットで温度補正データの算出が行えるため、１台の調整装置で、同時に複数の電子機器の温度補正データを算出することが可能となる。
【００３２】
また、書き換え可能なプログラム記憶ユニットを使用することにより、出荷前に１度使用するだけの制御用のプログラムを温度補正データの算出後に消去することができるため、メモリの有効利用を図ることができる。
【図面の簡単な説明】
【図１】  第１実施形態のアナログ電子時計の概要構成ブロック図である。
【図２】  第１実施形態の動作処理フローチャートである。
【図３】  第１実施形態の動作タイミングチャートである。
【図４】  第１実施形態の動作タイミングチャートである。
【図５】  温度補正データの算出を説明するための図である。
【図６】  第２実施形態の腕時計型コンピュータの概要構成ブロック図である。
【図７】  第２実施形態の動作処理フローチャートである。
【符号の説明】
１０……アナログ電子時計
１１……発振ユニット（発振手段）
１４……モータコイル（駆動用モータコイル）
１６……感温発振ユニット（温度検出手段）
２０……受信ユニット（受信手段）
２１……制御ユニット（制御手段）
２２……記憶ユニット（記憶手段）
２４……計測ユニット（計測手段）
２５……演算ユニット（補正データ算出手段）
３０……腕時計型コンピュータ
３２……プログラム記憶ユニット（プログラム記憶手段）
３３……計時ユニット（計時手段）
３６……通信用コイル
【図１】
0003642219.tif 000002
【図２】
0003642219.tif 000003
【図３】
0003642219.tif 000004
【図４】
0003642219.tif 000005
【図５】
0003642219.tif 000006
【図６】
0003642219.tif 000007
【図７】
0003642219.tif 000008